(57)【要約】【課題】逆止弁等の開閉機構を設けることなく、洗濯水や乾燥気流の熱交換器収容部への逆流を防止する。【解決手段】筐体１内に弾性支持した外槽２と、外槽２内に回転自在に配設された回転ドラム３と、外槽２内の水を筐体１外へ排出する主排水路８と、主排水路８を開閉する排水弁７と、回転ドラム３内に供給する乾燥用空気を除湿する除湿手段１４と、除湿手段１４を収容する熱交換器収容部１６と、除湿手段１４に付着した異物を除去する散水手段１８と、散水手段１８から吐出された水を熱交換器収容部１６から排出する熱交換器排水路２０および排水ポンプ２１とを備え、熱交換器排水路２０に、封水を溜める第二のトラップ２２と、洗濯時の洗濯水位より高い立ち上げ部２３を設けたものである。【選択図】図１
2015146933.tif 000002
【特許請求の範囲】
【請求項１】
筐体内に弾性支持した外槽と、
前記外槽内に回転自在に配設された回転ドラムと、
前記外槽内の水を前記筐体外へ排出する主排水路と、
前記主排水路を開閉する排水弁と、
前記回転ドラム内に供給する乾燥用空気を除湿する除湿手段と、
前記除湿手段を収容する熱交換器収容部と、
前記除湿手段に付着した異物を除去する散水手段と、
前記散水手段から吐出された水を前記熱交換器収容部から排出する熱交換器排水路および排水ポンプとを備え、
前記熱交換器排水路に、封水を溜める第二のトラップと、洗濯時の洗濯水位より高い立ち上げ部を設けた
洗濯乾燥機。
【請求項２】
前記熱交換器排水路は、前記排水弁の下流側で前記主排水路に接続した
請求項１記載の洗濯乾燥機。
【請求項３】
前記主排水路は、前記排水弁より下流側に封水を貯める第一のトラップを設け、
前記熱交換器排水路を前記第一のトラップに接続して第二のトラップを形成した
請求項１または２記載の洗濯乾燥機。
【請求項４】
前記第二のトラップを前記立ち上げ部の上流側に配設した
請求項１記載の洗濯乾燥機。
【発明の詳細な説明】
【技術分野】
【０００１】
本発明は、衣類等の洗濯と乾燥が行える洗濯乾燥機に関するものである。
【背景技術】
【０００２】
従来、この種の乾燥機能を備えた洗濯機、所謂、洗濯乾燥機は、洗濯した衣類等の洗濯物を同一槽内で続けて乾燥させることができる。乾燥工程は、回転ドラム内で洗濯物を撹拌しながら回転ドラム内に乾燥用空気を送風し、濡れた衣類と接触して湿った乾燥用空気は、除湿手段で冷却除湿された後、加熱手段により加熱されて乾いた温風となって循環し、衣類の乾燥を進行させる。
【０００３】
洗濯物の乾燥が進むのにともなって、衣類等から糸屑等のリントが発生しやすくなる。衣類等から分離したリントは、乾燥用空気に混入して循環風路内に設けた送風機および熱交換器等に付着し、その機能を低下させる原因となるため、循環風路に乾燥用空気から糸屑等のリントを捕集するリントフィルタが設けられている。しかしながら、循環風路を流れる乾燥用空気は、一定の送風量を確保する必要があることから、リントフィルタを通過する乾燥用空気からリントを完全に除去することは難しい。リントフィルタを通過したリントが熱交換器に付着すると、熱交換効率が低下するため、熱交換器に付着したリントを除去することが考えられている（例えば、特許文献１参照）。
【０００４】
図４は、特許文献１に記載された従来の洗濯乾燥機の構成図である。図４において、循環風路５１に送風手段５２を設け、蒸発器５３の上流側の循環風路５１にリントフィルタ５４を設けている。回転ドラム５５から循環風路５１に出た乾燥風は、リントフィルタ５４を通過し、蒸発器５３、凝縮器５６を経て外槽５７へと循環する。蒸発器５３および凝縮器５６の表面を水洗いする散水手段５８を設け、付着したリントや毛髪等の異物を洗い流すようにしている。
【０００５】
散水手段５８によって洗い流されたリントや毛髪等の異物および洗浄水は、開かれた排水弁５９から排水経路６０を通して機外へ排出される。また、乾燥工程において蒸発器５３で発生した結露水も、付着したそれらの異物とともに排水経路６０を通して機外へ排出される。
【先行技術文献】
【特許文献】
【０００６】
【特許文献１】特開２００８−８６４２１号公報
【発明の概要】
【発明が解決しようとする課題】
【０００７】
しかしながら、前記従来の構成では、散水手段５８から流された洗浄水は、洗濯水の排水経路６０に合流させて排水するようにしているため、洗濯工程の排水時に洗濯水が蒸発器５３等を設けている熱交換器収容部６１に浸入し、洗濯水の汚れが蒸発器５３等に付着するという問題があった。また、乾燥工程において、蒸発器５３で発生する結露水を排出するために排水弁５９を開くと、外槽５７と熱交換器収容部６１が連通するため、乾燥気流が排水経路６０を通じて熱交換器収容部６１へ流入し、結露水の排出が妨げられるという問題があった。
【０００８】
そこで、結露水の排水経路に逆止弁等の開閉機構を設けることが考えられるが、熱交換器を洗浄した水にはリントや毛髪が含まれるため、これらが開閉機構に付着し蓄積して、
排水経路が塞がれるおそれがあり、円滑に排水することが難しいという課題があった。
【０００９】
本発明は、前記従来の課題を解決するもので、逆止弁等の開閉機構を設けることなく、洗濯水や乾燥気流の熱交換器収容部への逆流を防止した洗濯乾燥機を提供することを目的とする。
【課題を解決するための手段】
【００１０】
前記従来の課題を解決するために、本発明の洗濯乾燥機は、筐体内に弾性支持した外槽と、前記外槽内に回転自在に配設された回転ドラムと、前記外槽内の水を前記筐体外へ排出する主排水路と、前記主排水路を開閉する排水弁と、前記回転ドラム内に供給する乾燥用空気を除湿する除湿手段と、前記除湿手段を収容する熱交換器収容部と、前記除湿手段に付着した異物を除去する散水手段と、前記散水手段から吐出された水を前記熱交換器収容部から排出する熱交換器排水路および排水ポンプとを備え、前記熱交換器排水路に、封水を溜める第二のトラップと、洗濯時の洗濯水位より高い立ち上げ部を設けたものである。
【００１１】
これによって、逆止弁等の開閉機構を用いることないため、熱交換器排水路の詰まりが生じることなく、洗濯水や乾燥気流の熱交換器収容部への逆流を防止することができる。
【発明の効果】
【００１２】
本発明の洗濯乾燥機は、逆止弁等の開閉機構を用いることなく、洗濯水や乾燥気流の熱交換器収容部への逆流を防止することができる。
【図面の簡単な説明】
【００１３】
【図１】本発明の実施の形態１における洗濯乾燥機の構成図
【図２】本発明の実施の形態２における洗濯乾燥機の構成図
【図３】本発明の実施の形態３における洗濯乾燥機の構成図
【図４】従来の洗濯乾燥機の構成図
【発明を実施するための形態】
【００１４】
第１の発明は、筐体内に弾性支持した外槽と、前記外槽内に回転自在に配設された回転ドラムと、前記外槽内の水を前記筐体外へ排出する主排水路と、前記主排水路を開閉する排水弁と、前記回転ドラム内に供給する乾燥用空気を除湿する除湿手段と、前記除湿手段を収容する熱交換器収容部と、前記除湿手段に付着した異物を除去する散水手段と、前記散水手段から吐出された水を前記熱交換器収容部から排出する熱交換器排水路および排水ポンプとを備え、前記熱交換器排水路に、封水を溜める第二のトラップと、洗濯時の洗濯水位より高い立ち上げ部を設けたことにより、逆止弁等の開閉機構を用いることがないため、熱交換器排水路の詰まりが生じにくく、洗濯水や乾燥気流の熱交換器収容部への逆流を防止することができる。
【００１５】
第２の発明は、特に、第１の発明において、前記熱交換器排水路は、前記排水弁の下流側で前記主排水路に接続したことにより、洗濯工程において、洗濯水が第二のトラップに侵入して未溶解の洗剤などの異物が第二のトラップに蓄積するのを防ぐことができ、より確実に排水詰まりを防止することができる。
【００１６】
第３の発明は、特に、第１または第２の発明において、前記主排水路は、前記排水弁より下流側に封水を貯める第一のトラップを設け、前記熱交換器排水路を前記第一のトラップに接続して第二のトラップを形成したことにより、第一のトラップと第二のトラップを兼用することができ、簡略な構成で洗濯水や乾燥気流の熱交換器収容部への逆流を防止することができる。
【００１７】
第４の発明は、特に、第１の発明において、前記第二のトラップを前記立ち上げ部の上流側に配設したことにより、洗濯水の排水時に第二のトラップに洗濯水が侵入することがなく、熱交換器排水路を清浄に保つことができ、排水の詰まりを防止することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における洗濯乾燥機の構成図である。図１において、筐体１内にダンパ（図示せず）によって外槽２が弾性支持されている。外槽２内には、有底円筒形に形成された回転ドラム３が回転可能に設けられており、その軸心方向を略水平方向に向けて配設されている。外槽２は、回転ドラム３に沿うように配設されている。
【００２０】
外槽２の正面側には、回転ドラム３の開口端に通じる衣類投入口４が形成されており、衣類投入口４を通じて回転ドラム３内に対して洗濯物５を出し入れすることができる。回転ドラム３は、外槽２の背面側に取り付けられたモータ等の駆動装置６によって正転および逆転方向に回転駆動され、洗濯および乾燥工程が行われる。
【００２１】
洗い工程では、回転ドラム３は駆動装置６によって回転駆動され、洗濯物５は回転ドラム３の内周面に設けたバッフル（図示せず）によって回転方向へ持ち上げられ、回転ドラム３内の上方から水面上に落下される。この落下の際の衝撃により叩き洗いされ、洗濯物５に付着した汚れを落とす。
【００２２】
設定された所定時間が経過すると排水弁７を開き、外槽２内の洗濯水を主排水路８を通して筐体１の外へ排出する。主排水路８には、下水の臭いが主排水路８を通じて筐体１内に侵入しないよう第一のトラップ９が設けられている。
【００２３】
洗い工程に続いて実行されるすすぎ工程においても同様に、回転駆動された回転ドラム３内で、洗濯物５に対して新たに供給された洗濯水が作用し、洗濯物５に残留した汚れた洗い水や洗剤成分が落とされる。
【００２４】
設定された所定時間が経過すると、排水弁７を開いてすすぎ水を排水し、脱水を行う。外槽２には、溢水経路１０が設けられており、排水弁７と第一のトラップ９との間で主排水路８と連通接続している。給水弁１１の故障などで給水量が設定量より多く給水された場合に、外槽２内の洗濯水を筐体１外へ排出する。
【００２５】
洗い、すすぎ、脱水の各工程を逐次実行した洗濯運転に続いて、乾燥運転を行うことができる。乾燥工程では、回転ドラム３内に収容した洗濯物５を乾燥するために、外槽２内の空気を吸引し、循環風路１２を通って再び外槽２内へ戻して循環させるための送風手段１３が設けられている。
【００２６】
送風手段１３は、循環風路１２内に設けられている。循環風路１２には、外槽２からの湿った空気を除湿する除湿手段１４と、この除湿手段１４で除湿された乾いた空気を加熱する加熱手段１５を収容するケース（熱交換器収容部）１６が設けられている。
【００２７】
除湿手段１４および加熱手段１５は、ヒートポンプ装置で構成することができる。一般的なヒートポンプ装置は、冷媒を圧縮する圧縮機と、圧縮後の高温高圧の冷媒の熱を放熱する凝縮器と、高圧の冷媒の圧力を減圧するためのキャピラリーチューブからなる絞り手段と、減圧されて低圧となった冷媒が周囲から熱を奪う蒸発器を冷媒が循環するように管
路で連結して構成される。この場合、蒸発器が除湿手段１４、凝縮器が加熱手段１５であり、フィンチューブ熱交換器で構成されている。
【００２８】
送風手段１３を回転駆動することにより、循環風路１２に空気の流れが発生して洗濯物５を収容した回転ドラム３内の空気は外槽２から排気される。外槽２からの空気は送風手段１３の上流側に位置する除湿手段１４に水分を結露させて除湿され、さらに、加熱手段１５との熱交換により加熱することで乾燥した高温の空気とすることができる。
【００２９】
乾燥した高温の空気は、送風手段１３によって外槽２内へ送風される。外槽２内に送風された高温の乾燥空気は、回転ドラム３内に入って衣類などの洗濯物５に曝されながら外槽２を経て循環風路１２を流れ、再度、熱交換器収容部であるケース１６内を通過して送風手段１３に至り、以上のような循環の繰り返しにより乾燥工程が実行される。
【００３０】
また、循環風路１２には、送風手段１３、除湿手段１４、加熱手段１５に対する上流側にリントフィルタ１７が設けられており、乾燥気流に含まれる洗濯物５から飛散したリントや毛髪などの異物を捕集する。
【００３１】
しかし、リントフィルタ１７でリントや毛髪などの異物を完全に捕集することは困難であり、微量の異物はリントフィルタ１７を通過し、除湿手段１４の上流側の表面に付着する。除湿手段１４に異物が堆積して目詰まりが生じると、乾燥風量、除湿効率の低下を招き、乾燥性能が低下するなどの乾燥不良となるため、除湿手段１４の上流側表面に付着した異物を洗浄する散水手段１８が、除湿手段１４の上流側に設けられている。
【００３２】
散水手段１８への給水は給水弁１１により給水経路１９を通じて行われ、散水手段１８から吐出された水は除湿手段１４の表面に付着した異物を洗い流し、除湿手段１４を清浄に保ち、乾燥性能の低下を防ぐ。なお、散水手段１８への水の供給は、ポンプ等の給水手段により行ってもよい。
【００３３】
除湿手段１４を洗浄した水は、ケース１６の下部に接続された熱交換器排水路２０を通じて、排水ポンプ２１により排出される。熱交換器排水路２０には、封水を溜める第二のトラップ２２を配設している。これにより、乾燥工程において、回転ドラム３内の圧力が上昇した場合にも、乾燥気流が主排水路８、溢水経路１０および熱交換器排水路２０を通じて、外槽２からケース１６へと流入することを防ぎ、結露水の排水不良による未乾燥を防ぐことができる。
【００３４】
また、熱交換器排水路２０の一部を上方へ立ち上げ、洗濯時の洗濯水位よりも高くした立ち上げ部２３を設けることにより、洗濯工程の排水時において、洗濯水がケース１６へと逆流するのを防止することができる。
【００３５】
以上のように、本実施の形態においては、筐体１内に弾性支持した外槽２と、外槽２内に回転自在に配設された回転ドラム３と、外槽２内の水を筐体１外へ排出する主排水路８と、主排水路８を開閉する排水弁７と、回転ドラム３内に供給する乾燥用空気を除湿する除湿手段１４と、除湿手段１４を収容する熱交換器収容部１６と、除湿手段１４に付着した異物を除去する散水手段１８と、散水手段１８から吐出された水を熱交換器収容部１６から排出する熱交換器排水路２０および排水ポンプ２１とを備え、熱交換器排水路２０に、封水を溜める第二のトラップ２２と、洗濯時の洗濯水位より高い立ち上げ部２３を設けたものであり、逆止弁等の開閉機構を用いることがないため、熱交換器排水路２０の詰まりが生じにくく、洗濯水や乾燥気流が除湿手段１４を収容する熱交換器収容部１６へ逆流するのを防止することができる。
【００３６】
また、熱交換器排水路２０は、排水弁７の下流側で主排水路８に接続することにより、洗濯工程において、洗濯水が第二のトラップ２２に侵入することがないため、未溶解の洗剤などの異物が第二のトラップ２２に蓄積されるのを防ぎ、より確実に排水詰まりを防止することができる。
【００３７】
なお、除湿手段１４は、ヒートポンプ装置の蒸発器で構成するほか、水冷または空冷の熱交換器で構成することができる。
【００３８】
（実施の形態２）
図２は、本発明の第２の実施の形態における洗濯乾燥機の構成図である。本実施の形態の特徴は、排水弁７より下流側に封水を貯める第一のトラップ９を設け、熱交換器排水路２０を第一のトラップ９に接続して第二のトラップ２２を形成したものである。他の構成は実施の形態１と同じであり、同一の構成に同一の符号を付して、詳細な説明は実施の形態１のものを援用する。
【００３９】
主排水路８に排水弁７を設けており、排水弁７より下流側の主排水路８に封水を貯める第一のトラップ９を設けている。熱交換器排水路２０は、第一のトラップ９に接続して第二のトラップ２２を形成している。
【００４０】
上記の構成により、第二のトラップ２２を第一のトラップ９と兼用することができ、簡略な構成で洗濯水や乾燥気流の熱交換器収容部１６への逆流を防止することができる。
【００４１】
（実施の形態３）
図３は、本発明の第３の実施の形態における洗濯乾燥機の構成図である。本実施の形態の特徴は、第二のトラップ２２を立ち上げ部２３の上流側に配設したものである。他の構成は実施の形態１と同じであり、同一の構成に同一の符号を付して、詳細な説明は実施の形態１のものを援用する。
【００４２】
上記の構成により、洗濯工程中だけでなく、洗濯水の排水時にも第二のトラップ２２に洗濯水が侵入することがないため、熱交換器排水路２０内を清浄に保つことができ、より確実に排水詰まりを防止することができる。
【００４３】
なお、熱交換器排水路２０は、主排水路８以外の外槽２や溢水経路１０等へ連通させてもよい。
【産業上の利用可能性】
【００４４】
以上のように、本発明にかかる洗濯乾燥機は、逆止弁等の開閉機構を用いることなく、洗濯水や乾燥気流の熱交換器収容部への逆流を防止することができるので、洗濯乾燥機として有用である。
【符号の説明】
【００４５】
１  筐体
２  外槽
３  回転ドラム
７  排水弁
８  主排水路
１４  除湿手段
１６  ケース（熱交換器収容部）
１８  散水手段
２０  熱交換器排水路
２１  排水ポンプ
２２  第二のトラップ
２３  立ち上げ部
【図１】
2015146933.tif 000003
【図２】
2015146933.tif 000004
【図３】
2015146933.tif 000005
【図４】
2015146933.tif 000006